(57)【要約】【課題】既設のスロット遊技機に対応でき、しかも、簡易に導入可能なスロット遊技機用肘置き装置を提供することを目的とする。【解決手段】島設備に固定される基台部１と、この基台部１に基端部が枢着され起伏回動自在に設けられるアーム部２と、このアーム部２の先端部に折曲回動自在に設けられアーム部２に対して折曲状態で遊技者の右前腕部若しくは右肘部を支持する支持部３と、この支持部３の高さ位置を調整するための支持部高さ位置調整機構４とで構成され、スロット遊技機Ｓが設置された島設備に、スロット遊技機Ｓの正面視右側に位置するように出し入れ自在に設置され、スロット遊技機Ｓを遊技中の遊技者の右前腕部若しくは右肘部を支持するように構成されたスロット遊技機用肘置き装置。【選択図】図１
2018191756.tif 000002
【特許請求の範囲】
【請求項１】
スロット遊技機が設置された島設備に、前記スロット遊技機の正面視右側に位置するように出し入れ自在に設置され、前記スロット遊技機を遊技中の遊技者の右前腕部若しくは右肘部を支持するように構成されたスロット遊技機用肘置き装置であって、前記島設備に固定される基台部と、この基台部に基端部が枢着され起伏回動自在に設けられるアーム部と、このアーム部の先端部に折曲回動自在に設けられ前記アーム部に対して折曲状態で前記遊技者の右前腕部若しくは右肘部を支持する支持部と、この支持部の高さ位置を調整するための支持部高さ位置調整機構とで構成されていることを特徴とするスロット遊技機用肘置き装置。
【請求項２】
前記支持部は、前記アーム部の先端部に折曲回動自在に設けられる芯部に円柱状のクッション部材が回転自在に被覆されてなることを特徴とする請求項１記載のスロット遊技機用肘置き装置。
【請求項３】
前記支持部高さ位置調整機構は、前記アーム部の回動角度を調整するように構成され、このアーム部の回動角度の調整により該アーム部の先端部に折曲状態に設けられた前記支持部の高さ位置が調整される構成とされていることを特徴とする請求項１，２のいずれか１項に記載のスロット遊技機用肘置き装置。
【請求項４】
前記アーム部は、前記基台部に前後方向に移動自在に設けられていることを特徴とする請求項１〜３のいずれか１項に記載のスロット遊技機用肘置き装置。
【発明の詳細な説明】
【技術分野】
【０００１】
本発明は、スロット遊技機が設置された島設備に、スロット遊技機の正面視右側に位置するように出し入れ自在に設置され、スロット遊技機を遊技中の遊技者の右前腕部若しくは右肘部を支持するように構成されたスロット遊技機用肘置き装置に関するものである。
【背景技術】
【０００２】
スロット遊技機（通称パチスロ）は、遊技中、メダル投入若しくはベットスイッチの押し操作、リールを回転させるスタートレバーの操作、リールの回転を停止させるストップスイッチの押し操作を繰り返し行う。また、これらの操作は、遊技機の構成（メダル投入口やスイッチ類の配置）上、遊技者の右手で行われることが多い。そのため、遊技者のスロット遊技機を操作する右手（右腕）は、遊技中の大半の時間、宙に浮かせた状態（腕を前方に向けて上げている状態）になる。従って、長時間スロット遊技を行うと、遊技者の右手には負荷がかかり、遊技者は右腕に疲労を感じたり肩が凝ったりすることがある。
【０００３】
従来、このようなスロット遊技に伴う疲労発生の問題を解消するため、特許文献１に示すようなスロット遊技機が提案されている。
【０００４】
この特許文献１のスロット遊技機は、スロット遊技機前面に大きく突き出るように設けられた広い操作テーブル上に、メダル投入機構、起動スイッチおよび停止スイッチが配置され、遊技者は、この操作テーブル上に腕を載せた状態でスロット遊技機の操作（遊技）を行うことができるものである。即ち、この特許文献１のスロット遊技機は、遊技者が腕を操作テーブル上で休めた状態で遊技することができるから、遊技者の遊技に伴う腕の疲労や肩こりが解消されるものとなっている。
【先行技術文献】
【特許文献】
【０００５】
【特許文献１】特開２００１−７９１３９号公報
【発明の概要】
【発明が解決しようとする課題】
【０００６】
しかしながら、特許文献１のようなスロット遊技機自体に肘置き部（腕置き部）を設ける対応では、既設遊技機への対応は容易でない。更に、操作テーブルが前方に大きく突き出ているため、既設遊技機と奥行き寸法に差が生じ、遊技機の設置レイアウトの自由度が低下するなどの問題が生じてしまう。よって、この特許文献１のようなスロット遊技機を安易に導入することはできず、ゆえに、スロット遊技機においては、遊技者のスロット遊技機の操作腕となる右腕の遊技に伴う疲労解消対策がなされていないのが現状である。
【０００７】
本発明は、このような現状に鑑みなされたもので、既設のスロット遊技機に対応でき、しかも、簡易に導入可能なスロット遊技機用肘置き装置を提供することを目的とする。
【課題を解決するための手段】
【０００８】
添付図面を参照して本発明の要旨を説明する。
【０００９】
スロット遊技機Ｓが設置された島設備に、前記スロット遊技機Ｓの正面視右側に位置するように出し入れ自在に設置され、前記スロット遊技機Ｓを遊技中の遊技者の右前腕部若しくは右肘部を支持するように構成されたスロット遊技機用肘置き装置であって、前記島設備に固定される基台部１と、この基台部１に基端部が枢着され起伏回動自在に設けられるアーム部２と、このアーム部２の先端部に折曲回動自在に設けられ前記アーム部２に対して折曲状態で前記遊技者の右前腕部若しくは右肘部を支持する支持部３と、この支持部３の高さ位置を調整するための支持部高さ位置調整機構４とで構成されていることを特徴とするスロット遊技機用肘置き装置に係るものである。
【００１０】
また、前記支持部３は、前記アーム部２の先端部に折曲回動自在に設けられる芯部５に円柱状のクッション部材６が回転自在に被覆されてなることを特徴とする請求項１記載のスロット遊技機用肘置き装置に係るものである。
【００１１】
また、前記支持部高さ位置調整機構４は、前記アーム部２の回動角度を調整するように構成され、このアーム部２の回動角度の調整により該アーム部２の先端部に折曲状態に設けられた前記支持部３の高さ位置が調整される構成とされていることを特徴とする請求項１，２のいずれか１項に記載のスロット遊技機用肘置き装置に係るものである。
【００１２】
また、前記アーム部２は、前記基台部１に前後方向に移動自在に設けられていることを特徴とする請求項１〜３のいずれか１項に記載のスロット遊技機用肘置き装置に係るものである。
【発明の効果】
【００１３】
本発明は上述のように構成したから、島設備に基台部を固定するだけの簡易作業で容易に設置が可能であるとともに、スロット遊技機ではなく島設備に設置するので既設遊技を改造するなどの手間のかかる作業が不要で簡易に設置することが可能となり、更に、スロット遊技機の入れ替えの際もこれを撤去したり再設置したりする作業が不要なものとなる。
【００１４】
更に、本発明は、不使用時は起立状態にしてスロット遊技機から前方に突出しない収納形態とすることができるので体裁がよく、そして、使用の際には、支持部高さ位置調整機構により支持部を遊技者の好みの位置（例えば、スロット遊技機が操作し易く且つ右腕が疲れない体勢となる位置）に調整してこれに右腕を載置して遊技することができるので、遊技者は本発明の使用により、遊技に伴う右腕の疲労を殆ど感じることなくスロット遊技を長時間楽しむことができる極めて実用性に優れた画期的なスロット遊技機用肘置き装置となる。
【図面の簡単な説明】
【００１５】
【図１】本実施例を示す斜視図である。
【図２】本実施例の基台部全体を示す説明平面図である。
【図３】本実施例のスライド部を示す説明図である。
【図４】本実施例のアーム部と支持部との連結部（支持部が折曲されていない状態）を示す説明図である。
【図５】本実施例のアーム部と支持部との連結部（支持部が折曲された状態）を示す説明図である。
【図６】本実施例において支持部高さ位置調整機構を使用して支持部の高さ調整例（支持部の位置を低くした例）を示す概略説明図である。
【図７】本実施例において支持部高さ位置調整機構を使用して支持部の高さ調整例（支持部の位置を高くした例）を示す概略説明図である。
【図８】本実施例の設置状態（不使用時）を示す概略説明図である。
【図９】本実施例の使用状態を示す概略説明図である。
【発明を実施するための形態】
【００１６】
好適と考える本発明の実施形態を、図面に基づいて本発明の作用を示して簡単に説明する。
【００１７】
本発明のスロット遊技機用肘置き装置（以下、単に本発明という。）は、スロット遊技機Ｓと対面状態で着座する遊技者の右腕を支持し得るように、スロット遊技機Ｓの正面視右側に配置される。
【００１８】
また、本発明は、スロット遊技機Ｓに設けるものではなく、このスロット遊技機Ｓが設置される島設備、例えば、スロット遊技機Ｓが載置される島天板部Ａに設置固定されるものであり、ゆえに、すでにスロット遊技機Ｓが設置されている島設備にも設置可能であり、更に、スロット遊技機Ｓの入れ替え時にも付け替えや移動の作業を要しない。
【００１９】
また、本発明を使用する際は、起立収納状態からアーム部２を前方に倒伏回動させ、アーム部２の先端部に設けられた支持部３を手前に引き出し、更に、この支持部３をアーム部２に対して折曲状態にすることで（例えば、支持部３を内方となる左方向に折曲して横倒状態することで）、支持部３がスロット遊技機Ｓの右側前方に横倒状態で配設され、遊技者はこの横倒状態の支持部３にスロット遊技機Ｓを操作する右腕の前腕部や肘部を置きながら遊技することができ、これにより、遊技者は、遊技中の右腕の負荷が軽減され、遊技に伴う右腕の疲労感が軽減されることとなる。
【００２０】
しかも、本発明は、この支持部３の高さ位置を支持部高さ位置調整機構４により遊技者の所望の高さ位置、例えばスロット遊技機Ｓが操作し易く且つ右腕に負荷がかからない位置などに調整することができるので、より右腕への負荷が軽減され、長時間の遊技でも右腕に生じる疲労感が確実に軽減され、肩こり等の発症を可及的に抑制することができる。
【００２１】
このように、本発明は、島設備に基台部１を固定するだけの作業で簡易に設置が可能であるとともに、スロット遊技機Ｓではなく島設備に設置するのでスロット遊技機Ｓの入れ替えに際し、撤去及び再設置の作業が不要であり、更に不使用時は起立状態にしてスロット遊技機Ｓから前方に突出しない収納形態とすることができるので体裁も良く、しかも、使用の際には、支持部高さ位置調整機構４により遊技者の右腕を遊技者の好みの位置（例えば、スロット遊技機Ｓが操作し易く且つ右腕が疲れない体勢となる位置）で支持することができるので、遊技者は本発明の使用により遊技に伴う右腕の疲労を殆ど感じることなくスロット遊技を長時間楽しむことができる極めて実用性に優れた画期的なスロット遊技機用肘置き装置となる。
【実施例】
【００２２】
本発明の具体的な実施例について図面に基づいて説明する。
【００２３】
本実施例は、スロット遊技機Ｓが設置された島設備に、スロット遊技機Ｓの正面視右側に位置するように出し入れ自在に設置され、スロット遊技機Ｓを遊技中の遊技者の右前腕部若しくは右肘部を支持するように構成されたスロット遊技機用肘置き装置であって、図１に示すように、島設備に固定される基台部１と、この基台部１に基端部が枢着され起伏回動自在に設けられるアーム部２と、このアーム部２の先端部に折曲回動自在に設けられアーム部２に対して折曲状態で遊技者の右前腕部若しくは右肘部を支持する支持部３と、この支持部３の高さ位置を調整するための支持部高さ位置調整機構４とで構成されるものである。
【００２４】
以下、本実施例に係る構成各部について詳述する。
【００２５】
本実施例の基台部１は、図２に示すような、金属製の平板からなり、長手方向手前側に後述する支持部高さ位置調整機構４としてのアジャスタねじ４を受け止めるアジャスタ受部７が設けられ、長手方向奥側に後述するアーム部２を前後方向にスライド可能に支持するスライド機構が設けられていて、ネジ止めにより島設備の島天板部Ａに設置固定される構成とされている。
【００２６】
具体的には、本実施例のスライド機構は、基台部１とスライドガイド板部８とスライドガイド固定板部９で構成されるスライドレール部10と、このスライドレール部10にスライド自在に設けられるスライダー部11で構成されている。
【００２７】
より具体的には、スライドレール部10は、図３に示すように、基台部１上にスライドガイド板部８を載置し、更にこのスライドガイド板部８上にこのスライドガイド板部８よりも幅広に形成されたスライドガイド固定板部９を載置し、基台部１とこの基台部１に対向配設されたスライドガイド固定板部９により凹条溝（コ字状溝）を形成し、この凹条溝内をスライダー部11がスライドガイド板部８の側縁に沿ってスライド移動するように構成されている。
【００２８】
また、スライダー部11は、Ｌ字状に形成された一対の挟持片12で構成されており、この挟持片12の水平板部12ａがスライド部としてスライドレール部10に形成された凹条溝内に配設され、この水平板部12ａ（スライド部）がスライドガイド板部８の側縁に沿って凹条溝内（レール内）をスライド移動する構成とされている。
【００２９】
更に、このスライダー部11は、挟持片12の垂直板部12ｂ間にアーム部２を回動自在に支持する回動軸13（本実施例ではボルトを採用）が挿通配設される回動軸挿通孔（図示しない）を有する軸受部として構成され、この軸受部となる水平板部12ａ間にアーム部２の基端部をセットするとともに回動軸13をこのアーム部２の基端部に挿通することにより、アーム部２が基台部１、具体的には、この基台部１に設けられたスライド機構（スライダー部11）に回動自在に設けられた構成とされている。
【００３０】
また、図２に示すように、スライドガイド板部８の前後両端部には、ストッパー14が設けられており、スライドレール部10を移動するスライダー部11は、このストッパー14に当接することでスライドレール部10（凹条溝）からの離脱が阻止され、スライドレール部10内を自在にスライド移動する構成とされている。
【００３１】
また、本実施例のスライド機構は、スライダー部11を位置決めする位置決め手段を有しておらず、遊技者が支持部３に腕を載置した負荷によりスライダー部11がスライドレール部10に圧接係止することでスライダー部11がスライドレール部10に対して移動不能状態となって位置決めされる構成とされている。即ち、本実施例のスライド機構は、位置決め手段を省くなど簡易な構成で容易に設計実現可能な構成とされている。
【００３２】
また、上述した基台部１に設けられる本実施例のアーム部２は、図１に示すように、略く字状（へ字状）に形成された金属製の棒状体からなり、基端部に上述したスライド機構（スライダー部11）の回動軸13を挿通配設する軸挿通孔（図示しない）が設けられ、先端部に後述する支持部３と連結するアーム部側連結部15が設けられた構成とされ、この軸挿通孔をスライダー部11の軸孔と連通状態にし、ここに回動軸13を挿通配設することで基台部１、具体的には、この基台部１に設けられたスライド機構（スライダー部11）に起伏回動自在に設けられる構成とされている。
【００３３】
具体的には、アーム部側連結部15は、凹状（コ字状）の軸受部に構成され、図４，５に示すように、支持部３側に設けられたクリック凸部（図示しない）がクリック係合するクリック孔16と、支持部３側に設けられたガイドピン17が摺動自在に係合する弧状（本実施例では９０°の円弧状）のガイド孔18とが形成されるとともに、このアーム部２に対して折曲状態となった支持部３を受け止め支持する受止支持部19が設けられた構成とされている。
【００３４】
また、このアーム部２に折曲回動自在に設けられる本実施例の支持部３は、図１に示すように、アーム部２の先端部に折曲回動自在に設けられる芯部５と、この芯部５を被覆するクッション部材６とから成る構成とされている。
【００３５】
具体的には、芯部５は、丸棒状に形成され、基端部に先述したアーム部２のアーム部側連結部15と折曲回動自在に係合連結する支持部側連結部20が設けられた構成とされ、この支持部側連結部20は、図４，５に示すように、前述したクリック凸部とガイドピン17が設けられた構成とされている。即ち、本実施例は、アーム部２の先端部に設けられたアーム部側連結部15と支持部３（芯部５）の基端部に設けられた支持部側連結部20とを係合連結することで、アーム部側連結部15のガイド孔18と支持部側連結部20のガイドピン17による支持部回動規制機構と、アーム部側連結部15のクリック孔16と支持部側連結部20のクリック凸部によるクリック機構が形成される構成とされ、支持部回動規制機構により、支持部３のアーム部２に対する折曲範囲が規制され、支持部３がアーム部２に対して垂直状態（アーム部２先端から一直線状に延設される状態）から９０°折曲した水平状態の範囲で折曲するように構成され、また、クリック機構により支持部３のアーム部２に対する垂直状態及び水平状態が保持されるように構成されている。
【００３６】
また、クッション部材６は、円柱状（円筒状）に形成され、芯部５に対して回動可能に被着する構成とされている。即ち、本実施例の支持部３は、その形状を円柱状にすることにより、アーム部２の回動角度がいかなる角度に調整されても、折曲状態とした際に、遊技者の腕（右腕）を支持する支持面の状態が変わらず、遊技者は同じ状態で腕を載置することができる構成とされ（例えば支持部を平板状や角柱状にした場合、アーム部２の回動角度により腕を支持する平面部の角度が変わり、腕を載置しにくくなる）、また、クッション部材６が芯部５に対して回動（回転）可能となっていることで、使用時に前の遊技者が腕を載置していた箇所を避けて新しい（きれいな）載置面にすることができ、これにより、例えば、前の遊技者の使用面が汗などで汚れていたとしても、次の遊技者は、汚れの無いきれいな載置面に腕を載置することができる構成とされている。
【００３７】
また、この支持部３の高さ位置を調整する本実施例の支持部高さ位置調整機構４は、アーム部２の回動角度を調整するように構成されており、本実施例は、この支持部高さ位置調整機構４によるアーム部２の回動角度の調整によりこのアーム部２の先端部に折曲状態に設けられた支持部３の高さ位置を調整する構成とされている。
【００３８】
具体的には、本実施例の支持部高さ位置調整機構４は、アジャスタねじ４からなる構成とされ、アーム部２の基端部側に設けられている。
【００３９】
即ち、本実施例は、この支持部高さ位置調整機構４としてのアジャスタねじ４の突出量を調整することで、アーム部２の回動角度（回動範囲）が調整され、支持部３の高さ位置が調整される構成とされている。
【００４０】
より具体的に説明すると、支持部３の高さ位置を低くする場合は、図６に示すように、アジャスタねじ４をねじ込みアーム部２からの突出量を少なくすることで、アーム部２を倒伏回動させた際、アジャスタねじ４が基台部１のアジャスタ受部７に当接するタイミングが遅くなり、アーム部２の回動角度が大きくなって（より下方側に回動動作することとなって）支持部３の高さ位置が低くなり、逆に、図７に示すように、アジャスタねじ４の突出量を多くすることで、アーム部２を倒伏回動させた際のアジャスタねじ４のアジャスタ受部７への当接タイミングが早くなり、アーム部２の回動角度が小さくなって支持部３の高さ位置が高くなる構成とされている。尚、この支持部高さ位置調整機構４に関しては、上記のアジャスタねじ４とする構成に限定せず、例えば、ラチェット構造や位置決め孔と係止ピンにより回動角度を調整し得る構成としても良い。
【００４１】
また、このアジャスタねじ４により支持部３の高さ位置を調整した場合、即ち、アーム部２の回動角度の調整により支持部３の高さ位置を調整した場合、支持部３の高さ位置の調整に伴い支持部３の前後の位置が変動する。具体的には、支持部３を高い位置から低い位置に調整するに従い支持部３が前方に位置するようになる。
【００４２】
そのため、高さは合うが前後の位置が合わない状況が生じる場合があるが、本実施例は、前述したように、アーム部２をスライド機構により前後移動させることができるので、このアーム部２を前後に移動させることで支持部３の前後位置も調整できる構成とされている。即ち、本実施例は、アーム部２を前後に移動調整するスライド機構とアーム部２の回動角度を調整する支持部高さ位置調整機構４（アジャスタねじ４）により支持部３の位置を遊技者の好みの位置（例えば、スロット遊技機Ｓが操作し易く且つ右腕が疲れない体勢となる位置）に調整することができる構成とされている。
【００４３】
以上のように、本実施例は、島設備の島天板部Ａに基台部１をネジで固定するだけの簡易な作業で容易に設置することが可能であり、また、スロット遊技機Ｓではなく島設備に設置するので既存遊技機はそのまま（特に何ら手を加える必要がない状態）で対応することができ、更に、スロット遊技機Ｓの入れ替えに際しても、撤去及び再設置の作業が不要なので設備管理も容易となる。
【００４４】
更に、本実施例は、図８に示すように、不使用時は起立状態にしてスロット遊技機Ｓから前方に突出しない収納形態とすることができるので体裁が良く、また、使用の際には、支持部高さ位置調整機構４（アジャスタねじ４）とスライド機構により支持部３の位置を遊技者の好みの位置（例えば、図９に示すような、スロット遊技機Ｓが操作し易く且つ右腕が疲れない体勢となる位置）で調整配置することができ、遊技者は本実施例を使用することで遊技に伴う右腕の疲労を殆ど感じることなくスロット遊技機Ｓの遊技を長時間楽しむことができる極めて実用性に優れた画期的なスロット遊技機用肘置き装置となる。
【００４５】
尚、本発明は、本実施例に限られるものではなく、各構成要件の具体的構成は適宜設計し得るものである。
【符号の説明】
【００４６】
１  基台部
２  アーム部
３  支持部
４  支持部高さ位置調整機構
５  芯部
６  クッション部材
Ｓ  スロット遊技機
【図１】
2018191756.tif 000003
【図２】
2018191756.tif 000004
【図３】
2018191756.tif 000005
【図４】
2018191756.tif 000006
【図５】
2018191756.tif 000007
【図６】
2018191756.tif 000008
【図７】
2018191756.tif 000009
【図８】
2018191756.tif 000010
【図９】
2018191756.tif 000011